(57)【要約】【課題】表示装置の表示面への光漏れが抑制可能な指針等の提供。【解決手段】指針１００は、表示装置において発光可能に設けられており、表示面に沿って回転する。指針１００は、ポインタ導光体５０、裏側遮光板６０及び遮光カバー７０を等によって構成されている。ポインタ導光体５０は、表示装置の指針光源から入射した光の放出により発光する。裏側遮光板６０は、ポインタ導光体５０において表示面と対向する裏面５３ａを覆っている。遮光カバー７０は、裏側遮光板６０との間にポインタ導光体を収容する収容空間６９を区画している。加えて遮光カバー７０は、裏側遮光板６０の円弧状外縁６１ａに沿って延設されて、この円弧状外縁６１ａに接触する凸状のシール凸部７８を有している。【選択図】図６
2019113447.tif 000002
【特許請求の範囲】
【請求項１】
表示装置において発光可能に設けられ、表示面（３１）に沿って回転する指針であって、
前記表示装置の光源（８２）から入射した光の放出により発光するポインタ導光体（５０）と、
前記ポインタ導光体において前記表示面と対向する裏面（５３ａ〜５３ｃ）を覆う裏側遮光体（６０）と、
前記裏側遮光体との間に前記ポインタ導光体を収容する収容空間（６９）を区画し、前記裏側遮光体の外縁（６１ａ）に沿って延設されて当該外縁に接触する凸状のシール凸部（７８）、を有する表側遮光体（７０）と、
を備える指針。
【請求項２】
前記シール凸部は、前記外縁に外側から接触し、基部（７８ｂ）から頂部（７８ａ）へ向かうに従い、前記表示面に近づく背面方向（ＢＤ）に傾斜する傾斜面（７９ａ）、を有する請求項１に記載の指針。
【請求項３】
前記表側遮光体は、前記裏側遮光体を保持する第一遮光部材（７１）、及び前記第一遮光部材に保持される第二遮光部材（７５）、を含み、
前記シール凸部は、前記第二遮光部材に設けられている請求項１又は２に記載の指針。
【請求項４】
前記ポインタ導光体の前記裏面には、前記光源の光を入射させる入射部（５４）、が設けられており、
前記表側遮光体は、前記入射部の周囲を筒状に囲む筒状壁（７７）、を有し、
前記シール凸部は、前記筒状壁において前記表示面と対向する端部（７７ａ）から離れた位置に設けられている請求項１〜３のいずれか一項に記載の指針。
【請求項５】
前記ポインタ導光体は、前記ポインタ導光体の回転軸線（ＲＡ）から離れる方向に延伸するポインタ部（５１）、及び前記回転軸線を挟んで前記ポインタ部とは反対側に位置するバランサ部（５８）、を有し、
前記表側遮光体は、前記バランサ部の端面（５９）に沿って延伸し、前記バランサ部に接触する凸状のバランサ凸部（７４）、をさらに有する請求項１〜４のいずれか一項に記載の指針。
【請求項６】
請求項１〜５のいずれか一項に記載の指針（１００）と、
前記指針を発光させる光を放出する前記光源と、
前記表示面を有し、前記指針と共に情報表示を形成する表示部材（３０）と、
を備える表示装置。
【発明の詳細な説明】
【技術分野】
【０００１】
この明細書による開示は、指針及び表示装置に関する。
【背景技術】
【０００２】
従来、例えば特許文献１には、発光可能な指針を文字板に沿って回転させる指針計器が開示されている。指針は、導光性を有する導光部材と、導光部材の基部を収容するキャップ及び背面遮光部とを備えている。キャップには、背面遮光部を固定するための爪部として機能する複数の凸部が設けられている。
【先行技術文献】
【特許文献】
【０００３】
【特許文献１】特開２０１７‐２０７３０６号公報
【発明の概要】
【発明が解決しようとする課題】
【０００４】
さて、特許文献１にてキャップに設けられる複数の凸部は、背面遮光部を固定するための爪部であるため、背面遮光部の外縁に沿って延設する形状ではない。そのため、各凸部が個別に背面遮光部に接触していたとしても、爪部が設けられていない箇所では、キャップと背面遮光部との間に隙間が発生してしまう。故に、導光部材の基部から放出された光は、背面遮光部及びキャップ間の隙間から漏れ易かった。
【０００５】
本開示は、表示装置の表示面への光漏れを抑制可能な指針等の提供を目的とする。
【課題を解決するための手段】
【０００６】
上記目的を達成するため、開示された一つの態様は、表示装置において発光可能に設けられ、表示面（３１）に沿って回転する指針であって、表示装置の光源（８２）から入射した光の放出により発光するポインタ導光体（５０）と、ポインタ導光体において表示面と対向する裏面（５３ａ〜５３ｃ）を覆う裏側遮光体（６０）と、裏側遮光体との間にポインタ導光体を収容する収容空間（６９）を区画し、裏側遮光体の外縁（６１ａ）に沿って延設されて当該外縁に接触する凸状のシール凸部（７８）、を有する表側遮光体（７０）と、を備える指針とされる。
【０００７】
この態様によれば、表側遮光体に設けられたシール凸部が、裏側遮光体の外縁に沿って延設され、当該外縁に接触している。こうした構成であれば、裏側遮光体と表側遮光体との間に生じる隙間が低減され得る。故に、ポインタ導光体から放出された光は、収容空間から漏れ難くなる。したがって、指針から表示面への光漏れが抑制可能となる。
【０００８】
尚、上記括弧内の参照番号は、後述する実施形態における具体的な構成との対応関係の一例を示すものにすぎず、技術的範囲を何ら制限するものではない。
【図面の簡単な説明】
【０００９】
【図１】本開示の一実施形態による表示装置の正面図である。
【図２】表示装置の機械的な構成を示す図であって、図１のＩＩ−ＩＩ線断面図である。
【図３】表示装置の電気的な構成を示すブロック図である。
【図４】指針の詳細な構成を示す縦断面図である。
【図５】指針を構成する各部品の詳細を示す分解図である。
【図６】図１のＶＩ−ＶＩ線断面図である。
【図７】図１のＶＩＩ−ＶＩＩ線断面図である。
【図８】裏側遮光板の裏面の構成を示す斜視図である。
【図９】ポインタボス部材の裏面の構成を示す斜視図である。
【図１０】シール凸部と円弧状外縁との接触箇所を拡大して示す図である。
【発明を実施するための形態】
【００１０】
図１に示す本開示の一実施形態による表示装置１０は、タコメータ１１、スピードメータ及び燃料計等の複数の指針表示部によって構成されている。表示装置１０は、図１に示す正面側を運転席へ向けた姿勢にて、車両の車室内に設けられたインスツルメントパネル内に収容されている。タコメータ１１による情報表示は、表示面３１に形成された目盛２１及び数値２２等の意匠と、表示板３０に沿って回転する指針１００とによって形成される。目盛２１、数値２２及び指針１００は、それぞれ発光可能である。
【００１１】
図１及び図２に示すように、表示装置１０は、筐体４０及び回路基板８９を、上述の表示板３０及び指針１００と共に備えている。筐体４０は、フロントパネル４１、筐体本体４２及びリヤカバー４３等を互いに組み付けることによって構成されている。フロントパネル４１は、アクリル樹脂等の透光性の樹脂材料によって形成されている。筐体本体４２及びリヤカバー４３は、ポリプロピレン樹脂及びＡＢＳ樹脂等の樹脂材料によって形成されている。筐体４０には、回路基板８９、表示板３０及び指針１００等の構成が収容されている。以下の説明では、指針１００の回転中心である回転軸線ＲＡに沿って表示板３０からフロントパネル４１へ向かう方向を正面方向ＦＤとし、正面方向ＦＤとは反対の方向を背面方向ＢＤとする。
【００１２】
回路基板８９は、平板状に形成され、表示板３０の背面方向ＢＤに位置している。回路基板８９は、筐体４０に保持されている。回路基板８９には、図２及び図３に示すステッパモータ８１、指針光源８２、表示光源８３及び制御部８０が設けられている。
【００１３】
ステッパモータ８１は、制御部８０と電気的に接続されている。ステッパモータ８１は、本体部分から正面方向ＦＤへ向かって延伸する軸部８１ａを有している。軸部８１ａの回転は、制御部８０によって制御される。軸部８１ａには、指針１００が組み付けられている。ステッパモータ８１は、軸部８１ａと共に指針１００を回転させる。
【００１４】
指針光源８２は、例えば赤色の光を放射する発光ダイオードである。指針光源８２は、軸部８１ａまわりに互いに間隔を開けて複数配置されており、照明方向へ向けて光を照射する。指針光源８２から放射された光は、指針１００を発光表示させる。
【００１５】
表示光源８３は、例えば白色の光を放射する発光ダイオードである。表示光源８３は、表示板３０の背面方向ＢＤに配置され、表示板３０へ向けて光を照射する。表示光源８３から放射された光は、表示板３０に設けられた意匠を発光表示させる。
【００１６】
制御部８０は、プログラムにより作動するマイクロコントローラ等によって構成されている。制御部８０は、車内Local Area Network（ＬＡＮ）８６に出力された情報を取得する。制御部８０は、車内ＬＡＮ８６からの取得情報に基づき、ステッパモータ８１の制御信号を生成する。制御部８０は、ステッパモータ８１へ向けた制御信号の出力により、指針１００の回転を制御する。加えて制御部８０は、指針光源８２及び表示光源８３に印加する電流のパルス幅を変調させる（Pulse Width Modulation，以下「ＰＷＭ」）制御により、これら光源８２，８３の発光輝度を調整する。
【００１７】
図１及び図２に示す表示板３０は、透光性の樹脂材料を基材として、円板状に形成されている。表示板３０には、表示面３１及び開口３２が設けられている。表示面３１は、表示板３０の両面のうち、正面方向ＦＤを向く一方に形成されている。表示面３１には、目盛２１及び数値２２等の意匠が、例えば透光性の塗料を用いた印刷等によって形成されている。表示面３１は、上述のように、指針１００と共に情報表示を形成する。開口３２は、表示板３０の中央に形成されている。開口３２は、指針光源８２から指針１００へ向かう光を通過させる。
【００１８】
図２及び図４〜図７に示す指針１００には、背面方向ＢＤを向く入射面部５４と、正面方向ＦＤを向く射出面部５６が形成されている。指針１００は、入射面部５４から入射させた指針光源８２の光を、射出面部５６から射出することによって発光する。指針１００は、ポインタ導光体５０、裏側遮光板６０及び遮光カバー７０を備えている。指針１００は、裏側遮光板６０及び遮光カバー７０等をポインタ導光体５０に一体的に組み付けることによって構成されている。
【００１９】
ポインタ導光体５０は、メイン導光部材５０ａ、拡散プリズム５７及びバランサ５８等によって構成されている。メイン導光部材５０ａ及び拡散プリズム５７は、指針光源８２から入射した光の放出によって発光するよう、アクリル樹脂及びポリカーボネート樹脂等の透光性の樹脂材料によって形成されている。メイン導光部材５０ａには、本体部５２、ポインタ部５１及び嵌合軸５５が設けられている。
【００２０】
本体部５２は、開口３２に対して正面方向ＦＤに位置している。本体部５２には、保持部５２ａ及び嵌合穴５２ｂが設けられている。保持部５２ａは、回転軸線ＲＡに対して直交する姿勢の平板状に形成されている。保持部５２ａは、指針１００の幅方向の両側に矩形状に突き出している。保持部５２ａには、かしめ孔５２ｃ及び上述の入射面部５４が設けられている。かしめ孔５２ｃは、保持部５２ａを板厚方向に貫通する貫通孔である。入射面部５４は、保持部５２ａにて開口３２と対向する本体部５２の裏面５３ａに形成されている。入射面部５４は、指針光源８２から射出され、開口３２を通過して光を、メイン導光部材５０ａの内部に入射させる。嵌合穴５２ｂは、指針１００の幅方向に沿って本体部５２を貫通している。嵌合穴５２ｂは、保持部５２ａよりも正面方向ＦＤに形成されている。
【００２１】
ポインタ部５１は、回転軸線ＲＡから離れる方向へ向けて、本体部５２から突出している。ポインタ部５１は、回転軸線ＲＡに対して直交する方向に沿って延伸している。ポインタ部５１は、先細り形状に形成されている。ポインタ部５１の横断面における幅及び高さは、回転軸線ＲＡから離れるに従い、漸減している。ポインタ部５１の先端は、指針１００の回転により、目盛２１及び数値２２の正面方向ＦＤに位置する。ポインタ部５１には、本体部５２に入射した光が導光される。ポインタ部５１に導光された光は、射出面部５６から正面方向ＦＤへ向けて射出される。
【００２２】
嵌合軸５５は、回転軸線ＲＡに沿って本体部５２から背面方向ＢＤに、円筒状に突出している。嵌合軸５５は、軸部８１ａに外嵌されており、軸部８１ａに保持されている。嵌合軸５５が軸部８１ａに組み付けられることで、指針１００は、軸部８１ａと一体で回転可能となる。
【００２３】
拡散プリズム５７は、嵌合穴５２ｂに嵌合している。拡散プリズム５７は、メイン導光部材５０ａによって保持されている。拡散プリズム５７には、拡散面５７ａが形成されている。拡散面５７ａは、凸状に湾曲した曲面状に形成されており、正面方向ＦＤに向けられている。拡散面５７ａは、入射面部５４から拡散プリズム５７に移動した光を、指針１００の長手方向に拡散させる。
【００２４】
バランサ５８は、回転軸線ＲＡを挟んでポインタ部５１とは反対側に位置している。バランサ５８は、ポインタ導光体５０の重心位置を回転軸線ＲＡに近接させている。バランサ５８には、かしめ孔５８ａが形成されている。かしめ孔５８ａは、バランサ５８を厚さ方向に貫通する貫通孔である。
【００２５】
図２及び図４〜図９に示す裏側遮光板６０及び遮光カバー７０は、例えば遮光性の樹脂材料によって形成されている。裏側遮光板６０及び遮光カバー７０の間には、ポインタ導光体５０を収容する収容空間６９が区画されている。収容空間６９には、嵌合軸５５を除くポインタ導光体５０の概ね全体が格納されている。
【００２６】
裏側遮光板６０は、ポインタ導光体５０において表示面３１と対向する裏面を覆っている。裏側遮光板６０は、ポインタ導光体５０の裏面の形状と実質的に相似形となる板状である。裏側遮光板６０は、本体部５２の裏面５３ａ、ポインタ部５１の裏面５３ｂ、及びバランサ５８の裏面５３ｃを全て覆うことが可能な形状である。裏側遮光板６０は、中央蓋部６１、ポインタ蓋部６６及びバランサ蓋部６８を有している。
【００２７】
中央蓋部６１は、開口３２と本体部５２との間に位置し、本体部５２の裏面５３ａを覆う円板状に形成されている。中央蓋部６１には、中央開口部６３、内周遮光壁６４、複数の外周遮光壁６５ａ〜６５ｄ及び複数のかしめ孔６１ｂが形成されている（図５及び図８を参照）。中央開口部６３は、中央蓋部６１を板厚方向に貫通する開口である。中央開口部６３は、嵌合軸５５を挿通させる領域と、指針光源８２の光を入射面部５４に到達可能にする領域とを含んでいる。
【００２８】
内周遮光壁６４は、中央開口部６３の外周を囲む縁部から背面方向ＢＤへ向けて突出している。内周遮光壁６４は、嵌合軸５５を径方向の両側から挟むように、径方向に二分割された部分円筒状に形成されている。内周遮光壁６４は、嵌合軸５５への外周面を覆う形状により、嵌合軸５５からの光の漏れを遮蔽する。
【００２９】
外周遮光壁６５ａ〜６５ｄは、円弧状を呈する中央蓋部６１の外縁（以下、「円弧状外縁６１ａ」）に設けられている。各外周遮光壁６５ａ〜６５ｄは、円弧状外縁６１ａから背面方向ＢＤへ向けて立設されている。各外周遮光壁６５ａ〜６５ｄは、周方向に互いに間隔を開けつつ、円弧状外縁６１ａに沿って円筒状に延伸している。外周遮光壁６５ａ〜６５ｄは、全体で開口３２の外周を囲む配置とされている。外周遮光壁６５ａ〜６５ｄは、指針１００及び表示板３０の間から外周側への光漏れを遮蔽する。かしめ孔６１ｂは、厚さ方向に中央蓋部６１を貫通する貫通孔である。かしめ孔６１ｂは、内周遮光壁６４の外周側であり、且つ、円弧状外縁６１ａの内周側に形成されている。
【００３０】
ポインタ蓋部６６は、ポインタ部５１の裏面５３ｂ及び表示面３１の両方に沿った帯板形状に、中央蓋部６１から延出している。ポインタ蓋部６６は、ポインタ部５１の裏面５３ｂを覆っている。バランサ蓋部６８は、中央蓋部６１を挟んでポインタ蓋部６６の反対側に形成されている。バランサ蓋部６８は、バランサ５８の裏面５３ｃ及び表示面３１の両方に沿って、中央蓋部６１から延出する形状である。バランサ蓋部６８は、バランサ５８の裏面５３ｃを覆っている。
【００３１】
遮光カバー７０は、ポインタ導光体５０を収容する有底の容器状に形成されている。遮光カバー７０は、ポインタ導光体５０の周囲及び前面を全体的に覆う形状とされている。遮光カバー７０は、ポインタ遮光部材７１及び一組のポインタボス部材７５等によって構成されている（図５参照）。
【００３２】
ポインタ遮光部材７１は、メインカバー部７２及び一対の接続部７３を有している。メインカバー部７２は、ポインタ部５１及びバランサ５８を収容可能なように、ポインタ導光体５０の長手方向に沿って延伸している。メインカバー部７２には、射出開口部７２ａが形成されている。射出開口部７２ａは、正面方向ＦＤを向くメイン導光部材５０ａの前面に沿って線状に延伸している。ポインタ導光体５０の前面から射出される光は、射出開口部７２ａを通過して視認者に視認される。メイン導光部材５０ａの前面のうちで射出開口部７２ａから露出している部分が、指針１００の射出面部５６であって、指針１００の発光面部となる。
【００３３】
各接続部７３は、メインカバー部７２の両側に、それぞれ半円板状に形成されている。各接続部７３には、複数のかしめ孔７３ａ及び複数のかしめピン７３ｂが形成されている。かしめ孔７３ａは、板厚方向に接続部７３を貫通する貫通孔である。かしめピン７３ｂは、接続部７３において背面方向ＢＤを向く裏面から、背面方向ＢＤへ向けて棒状に突出している。複数のかしめピン７３ｂの一部は、保持部５２ａのかしめ孔５２ｃと中央蓋部６１のかしめ孔６１ｂとに挿通される（図６参照）。複数のかしめピン７３ｂの他の一部は、バランサ５８のかしめ孔５８ａと中央蓋部６１のかしめ孔６１ｂとに挿通される（図７参照）。
【００３４】
一組のポインタボス部材７５は、互いに組み合わされることにより、有底の円筒容器状を呈する。各ポインタボス部材７５は、底壁７６及び筒状壁７７を有している。底壁７６は、接続部７３を覆う半円板状に形成され、接続部７３の正面方向ＦＤに位置する。底壁７６には、複数のかしめピン７６ａが設けられている（図９参照）。かしめピン７６ａは、底壁７６において背面方向ＢＤを向く裏面に形成されている。かしめピン７６ａは、底壁７６の裏面から背面方向ＢＤへ向けて棒状に突出している。かしめピン７６ａは、接続部７３のかしめ孔７３ａに挿通される。
【００３５】
筒状壁７７は、底壁７６の円弧状の外縁から背面方向ＢＤに向かって部分円筒状に立設されている。筒状壁７７は、背面方向ＢＤに向かうに従って外周側に傾斜するテーパ面状である。筒状壁７７は、本体部５２及び中央蓋部６１の外周側を環状に囲んでいる。筒状壁７７において底壁７６から最も離間した端部７７ａは、表示板３０から僅かに離れて位置し、表示面３１と対向している。各筒状壁７７は、入射面部５４の周囲を扁平な筒状に囲むように配置される。
【００３６】
以上の遮光カバー７０は、図２、図４、図６、図９及び図１０等に示すように、収容空間６９からの光漏れを抑制する構成として、シール凸部７８及びバランサ凸部７４をさらに有している。
【００３７】
シール凸部７８は、ポインタボス部材７５の各筒状壁７７に設けられている。シール凸部７８は、筒状壁７７の内周壁面に形成されており、回転軸線ＲＡまわりの周方向に沿って円弧状に延伸している。シール凸部７８の横断面は、不等辺の三角形状を呈している。シール凸部７８の横断面における幅は、基部７８ｂから頂部７８ａへ向かうに従って次第に狭くなっていく。シール凸部７８に形成される二つの傾斜面のうちで、底壁７６と対向する一方が接触傾斜面７９ａであり、表示面３１と対向する他方が外側傾斜面７９ｂである。接触傾斜面７９ａは、基部７８ｂから頂部７８ａへ向かうに従って背面方向ＢＤに傾斜している。外側傾斜面７９ｂは、基部７８ｂから頂部７８ａへ向かうに従って正面方向ＦＤに傾斜している。
【００３８】
シール凸部７８は、ポインタ導光体５０及び裏側遮光板６０が遮光カバー７０に組み付けられた状態で、円弧状外縁６１ａの背面方向ＢＤに位置する。シール凸部７８は、円弧状外縁６１ａに沿って円弧状に延設されている。シール凸部７８は、収容空間６９の外側から円弧状外縁６１ａの全体に、接触傾斜面７９ａを接触させている。
【００３９】
シール凸部７８は、筒状壁７７の端部７７ａから正面方向ＦＤに離れた位置に設けられている。筒状壁７７のうちでシール凸部７８と端部７７ａとの間の部分が遮光円筒部７７ｂとなる。遮光円筒部７７ｂは、開口３２の外周側を囲む円環状のリブとなる。遮光円筒部７７ｂは、指針１００と表示板３０との間において、表示面３１に沿って外周側へ移動する光を遮蔽する。
【００４０】
バランサ凸部７４は、ポインタ遮光部材７１においてバランサ５８を収容する後端部分に設けられている。バランサ凸部７４は、バランサ５８の後端面５９を覆うポインタ遮光部材７１の内壁面に形成されている（図４参照）。バランサ凸部７４は、指針１００の幅方向に沿って線状に延伸している。バランサ凸部７４の横断面は、矩形状とされている。バランサ凸部７４にて背面方向ＢＤを向く接触面７４ａは、回転軸線ＲＡに対し実質的に直交する姿勢の平面状である。バランサ凸部７４は、遮光カバー７０へのポインタ導光体５０の組み付けにより、後端面５９の正面方向ＦＤに位置する。バランサ凸部７４は、後端面５９に沿って指針１００の幅方向に延伸し、正面方向ＦＤを向くバランサ５８の上面後端５８ｅに接触している。
【００４１】
次に、指針１００を組み立てる工程の詳細を、図４〜図７及び図１０を用いて説明する。
【００４２】
遮光カバー７０は、二つのポインタボス部材７５をポインタ遮光部材７１に保持させる工程によって形成される。ポインタボス部材７５のかしめピン７６ａは、接続部７３のかしめ孔７３ａに挿通される。そして、かしめ孔７３ａから突き出したかしめピン７６ａの先端は、加熱された金型を用いて加圧され、扁平な半球状に押し潰される。こうした熱かしめ又は熱溶着等の締結により、各ポインタボス部材７５は、ポインタ遮光部材７１に組み付けられる。
【００４３】
遮光カバー７０には、ポインタ導光体５０及び裏側遮光板６０がさらに組み付けられる。この工程では、ポインタ導光体５０及び裏側遮光板６０が、遮光カバー７０へ向けて押し込まれる。このとき、遮光カバー７０のかしめピン７３ｂは、各かしめ孔５２ｃ，６１ｂ、又は各かしめ孔５８ａ，６１ｂに挿通される。加えて、裏側遮光板６０の円弧状外縁６１ａは、樹脂材料の弾性によって各筒状壁７７を外周側へ変位させつつ、シール凸部７８を正面方向ＦＤに通過する。以上により、ポインタ導光体５０が収容空間６９に収容され、裏側遮光板６０が収容空間６９を塞いだ状態となる。そして、各かしめ孔６１ｂから突き出した各かしめピン７６ａの先端が、熱かしめ等により、扁平な半球状に押しつぶされる。以上により、ポインタ導光体５０及び裏側遮光板６０は、遮光カバー７０に保持される。
【００４４】
以上の工程によれば、シール凸部７８は、筒状壁７７及びかしめピン７３ｂ等の弾性力により、円弧状外縁６１ａの全体に軽い力で圧接された状態となり、筒状壁７７と中央蓋部６１との間にできる隙間を実質的に消失させている。加えて、バランサ凸部７４は、かしめピン７３ｂ等の復元力により、バランサ５８の上面後端５８ｅ上面に密着した状態となり、バランサ５８とポインタ遮光部材７１の間にできる隙間を実質的に消失させている。
【００４５】
ここまで説明した本実施形態では、遮光カバー７０に設けられたシール凸部７８が、裏側遮光板６０の円弧状外縁６１ａに接触している。こうした構成であれば、遮光カバー７０と裏側遮光板６０との間に生じる隙間が低減され得る。以上によれば、ポインタ導光体５０から放出された光は、収容空間６９から漏れ難くなる。したがって、指針１００から表示面３１へ向けた光漏が抑制される。
【００４６】
ここで、表示面３１へと漏れた光は、表示面３１の中央部分を照明し、発光表示された指針１００をぼかしてしまう。こうした光漏れによる照明は、特に暗所等において、表示装置１０の見栄えを低下させてしまう。故に、指針１００から表示面３１への光漏れの抑制は、指針１００を発光表示させる表示装置１０の商品性の低下防止に効果的となる。
【００４７】
加えて本実施形態の接触傾斜面７９ａは、頂部７８ａへ向かうに従い、背面方向ＢＤに傾斜している。故に、中央蓋部６１の位置が遮光カバー７０に対して僅かにずれた又は傾いた場合でも、円弧状外縁６１ａは、概ね全周に亘って接触傾斜面７９ａに接触した状態を維持し得る。以上によれば、円弧状外縁６１ａとシール凸部７８との間の隙間がさらに生じ難くなるため、収容空間６９からの光漏れは、いっそう抑制される。
【００４８】
また本実施形態のポインタ遮光部材７１が、ポインタボス部材７５及びポインタ遮光部材７１を共に保持している。故に、シール凸部７８は、裏側遮光板６０を保持する機能を有していなくてもよくなる。仮にシール凸部を係止爪として機能させる場合、係止に必要な爪長さを確保しつつ円弧状外縁６１ａに沿って延設させてしまうと、組み付けに際して、中央蓋部６１は、シール凸部の内周側を正面方向ＦＤに通過できなくなる。以上のように、保持機能の省略によれば、シール凸部７８は、遮光カバー７０及び裏側遮光板６０間の隙間低減に効果的な形状になり得る。したがって、収容空間６９からの光漏れを抑制する効果は、さらに高い確実性をもって発揮される。
【００４９】
さらに本実施形態では、ポインタ導光体５０の入射面部５４の周囲は、筒状壁７７の一部である遮光円筒部７７ｂによって囲まれている。加えて、遮光円筒部７７ｂの内周側には、中央蓋部６１に設けられた複数の外周遮光壁６５ａ〜６５ｄが位置している。故に、入射面部５４に入射せず、開口３２周囲の表示面３１に沿って、指針１００と表示板３０との間を外周側に進もうとする光は、リブ状を呈する外周遮光壁６５ａ〜６５ｄ及び遮光円筒部７７ｂによって遮られる。以上によれば、表示板３０への光漏れは、いっそう低減され得る。
【００５０】
加えて本実施形態では、バランサ５８の上面後端５８ｅと接触するバランサ５８凸部がさらに設けられている。こうした構成であれば、遮光カバー７０のうちでバランサ５８を収容する箇所からの光も漏れも、抑制可能となる。
【００５１】
尚、上記実施形態では、表示板３０が「表示部材」に相当し、入射面部５４が「入射部」に相当し、バランサ５８が「バランサ部」に相当し、後端面５９が「端面」に相当し、裏側遮光板６０が「裏側遮光体」に相当し、円弧状外縁６１ａが「外縁」に相当する。また、遮光カバー７０が「表側遮光体」に相当し、ポインタ遮光部材７１が「第一遮光部材」に相当し、ポインタボス部材７５が「第二遮光部材」に相当し、接触傾斜面７９ａが「傾斜面」に相当し、指針光源８２が「光源」に相当する。
【００５２】
（他の実施形態）
以上、本開示の一実施形態について説明したが、本開示は、上記実施形態に限定して解釈されるものではなく、本開示の要旨を逸脱しない範囲内において種々の実施形態及び組み合わせに適用することができる。
【００５３】
上記実施形態の遮光カバー７０は、ポインタ遮光部材７１及びポインタボス部材７５等の遮光部材を組み合わせることにより、構成されていた。一方で、上記実施形態の変形例１の遮光カバーは、一体物として形成された部材である。変形例１の遮光カバーは、ポインタ部を覆うことなく、本体部のみを覆う有底の容器状に形成されている。こうした形状の遮光カバーであっても、シール凸部の形成によって裏側遮光板との間の隙間が低減されれば、表示面への光漏れは、抑制され得る。
【００５４】
上記実施形態のシール凸部７８の横断面は、略三角形状であった。しかし、シール凸部の横断面形状は、適宜変更可能であり、略矩形状であってもよく、略半円状等であってもよい。即ち、円弧状外縁６１ａと接触する箇所は、接触傾斜面７９ａのような傾斜面でなくてもよい。
【００５５】
また上記実施形態のシール凸部７８は、円弧状外縁６１ａの背面方向ＢＤに位置していた。しかし、シール凸部は、中央蓋部の正面方向ＦＤに位置し、中央蓋部の前面の外縁に接触してもよい。加えて、シール凸部は、筒状壁の背面方向ＢＤの端部から離れていなくてもよく、端部から内周側にリブ状に突き出した形状であってもよい。さらに、中央蓋部の外縁の形状及びシール凸部の各形状は、円弧状でなくてもよい。
【００５６】
加えて、バランサ凸部の横断面形状及び配置も、シール凸部と同様に、適宜変更可能である。また、バランサが設けられていない指針等では、バランサ凸部に相当する構成が省略されていてもよい。
【００５７】
上記実施形態では、車両に搭載された表示装置１０に本開示による光漏れ抑制構造を適用した例を説明した。しかし、本開示の光漏れ抑制構造を適用可能な表示装置は、コンビネーションメータとして機能する上述のような表示装置に限定されない。例えば、車両とは異なる移動体、例えば航空機や船舶等に搭載される計器としての表示装置、並びに産業用機械及び家電製品等に用いられる指針表示器等に用いられる指針にも、本開示の光漏れ抑制構造は、適用可能である。
【符号の説明】
【００５８】
１０  表示装置、３０  表示板（表示部材）、３１  表示面、５０  ポインタ導光体、５１  ポインタ部、５４  入射面部（入射部）、５８  バランサ（バランサ部）、５９  後端面（端面）、６０  裏側遮光板（裏側遮光体）、６１ａ  円弧状外縁（外縁）、６９  収容空間、７０  遮光カバー（表側遮光体）、７１  ポインタ遮光部材（第一遮光部材）、７４  バランサ凸部、７５  ポインタボス部材（第二遮光部材）、７７  筒状壁、７７ａ  端部、７８  シール凸部、７８ａ  頂部、７８ｂ  基部、７９ａ  接触傾斜面（傾斜面）、８２  指針光源（光源）、１００  指針、ＢＤ  背面方向、ＲＡ  回転軸線
【図１】
2019113447.tif 000003
【図２】
2019113447.tif 000004
【図３】
2019113447.tif 000005
【図４】
2019113447.tif 000006
【図５】
2019113447.tif 000007
【図６】
2019113447.tif 000008
【図７】
2019113447.tif 000009
【図８】
2019113447.tif 000010
【図９】
2019113447.tif 000011
【図１０】
2019113447.tif 000012